(57)【特許請求の範囲】
【請求項１】
波形測定器と波形解析装置とを備えた波形解析システムであって、
前記波形測定器は、
測定中に連続的に得られる測定データを所定の単位で記録した分割測定データファイル作成して第１補助記憶装置に保存する記録制御部と、
前記分割測定データファイルが作成されると前記波形解析装置に通知する通信制御部とを備え、
前記波形解析装置は、
前記通知を受信すると、作成された分割測定データファイルを取得して第２補助記憶装置に保存する通信制御部と、
前記第２補助記憶装置に保存されている分割測定データファイルに基づいて、波形解析に用いる付随情報を作成して前記分割測定データファイルに関連付ける測定データ再構成部と、
前記付随情報を用いて前記分割測定データファイルに含まれる測定データの解析を行なう測定データ解析部とを備えたことを特徴とする波形解析システム。
【請求項２】
接続された波形測定器から測定中に連続的に得られる測定データを所定の単位で記録した分割測定データファイルを順次取得して第２補助記憶装置に保存する通信制御部と、
前記第２補助記憶装置に保存されている分割測定データファイルに基づいて、波形解析に用いる付随情報を作成して前記分割測定データファイルに関連付ける測定データ再構成部と、
前記付随情報を用いて前記分割測定データファイルに含まれる測定データの解析を行なう測定データ解析部と、を備えたことを特徴とする波形解析装置。
【請求項３】
前記付随情報は、
保存されている分割測定データファイルに含まれる測定データへのアクセス情報、前記測定の測定条件に関する情報を含んでいることを特徴とする請求項２に記載の波形解析装置。
【請求項４】
前記測定データ再構成部は、
ユーザから測定データの解析指示を受け付けると、前記付随情報を作成することを特徴とする請求項２または３に記載の波形解析装置。
【請求項５】
前記通信制御部は、
前記波形測定器から分割測定データファイルを生成した旨の通知を受信すると、通知に係る分割測定データファイルを取得することを特徴とする請求項２〜４のいずれか１項に記載の波形解析装置。
【請求項６】
前記通信制御部は、
前記波形測定器から測定が完了した旨の通知を受信すると、前記波形測定器から付随情報を取得して、前記分割測定データファイルに関連付けることを特徴とする請求項２〜５のいずれか１項に記載の波形解析装置。
【請求項７】
接続された波形測定器から測定中に連続的に得られる測定データを所定の単位で記録した分割測定データファイルを順次取得して第２補助記憶装置に保存する通信制御部と、
前記第２補助記憶装置に保存されている分割測定データファイルに基づいて、波形解析に用いる付随情報を作成して前記分割測定データファイルに関連付ける測定データ再構成部と、
前記付随情報を用いて前記分割測定データファイルに含まれる測定データの解析を行なう測定データ解析部とを備えた波形解析装置としてコンピュータを機能させるコンピュータプログラム。
【発明の詳細な説明】
【技術分野】
【０００１】
本発明は、波形測定器から測定データを取得し、解析を行なう波形解析装置に係り、特に、波形測定器が測定実行中であっても、取得した測定データの解析を行なうことができる波形解析装置に関する。
【背景技術】
【０００２】
デジタルオシロスコープ、データレコーダ等の波形測定器は、被測定信号の測定を行ない、測定データとしてハードディスク等の補助記憶装置に保存するとともに、測定データの解析を行なって測定波形や解析結果を所定のフォーマットで内蔵する表示装置に表示する。
【０００３】
近年では、波形測定器に、汎用バスを介してＰＣ（Personal Computer）を接続し、測定データをＰＣに取り込んで解析することも行なわれている。この場合、ユーザは、ＰＣ用に独自に解析プログラムを開発することでき、波形測定器単独では困難であった専門的な解析が可能となる、また、ＰＣから他のシステムに解析結果を送り込むなどの応用範囲も広がり、波形測定器の利用価値を高めることができる。
【０００４】
図８は、波形測定器とＰＣとを接続した従来の波形解析システムの構成例を示すブロック図である。本図に示すように、波形解析システムは、波形測定器３００と、波形解析装置として機能するＰＣ４００とを備えており、波形測定器３００とＰＣ４００とは、汎用バス５００を介して接続されている。
【０００５】
波形測定器３００は、記録制御部３１０、補助記憶装置３２０、波形表示制御部３４０、通信制御部３５０を備えている。
【０００６】
記録制御部３１０は、被測定信号を入力し、測定条件にしたがった測定を行なう測定部３１１と、測定部３１１が生成した測定データを一時的に格納する波形測定用メモリ３１２とを備えている。補助記憶装置３２０は、ハードディスク等の大容量記憶装置であり、波形測定用メモリ３１２に格納された測定データを測定データファイル３３０として保存する。
【０００７】
波形表示制御部３４０は、測定データファイル３３０に基づいて表示用データを作成したり、基本的な波形解析演算を行なって、図示しない表示装置に表示させる。通信制御部３５０は、汎用バス５００を介したＰＣ４００との通信を制御する。汎用バス５００は、ＵＳＢ、Ｅｔｈｅｒｎｅｔ（登録商標）、ＧＰ−ＩＢ等を用いることができる。
【０００８】
波形解析装置として機能するＰＣ４００は、通信制御部４１０、測定データ解析部４２０、表示制御部４３０を備えている。
【０００９】
通信制御部４１０は、汎用バス５００を介した波形測定器３００との通信を制御する。測定データ解析部４２０は、波形測定器３００の補助記憶装置３２０に記録されている測定データファイル３３０を参照し、測定データの詳細な解析を行なう。表示制御部４３０は、測定データ解析部４２０の解析結果を図示しない表示装置に表示するための処理を行なう。
【先行技術文献】
【特許文献】
【００１０】
【特許文献１】特開２００９−１１５５４７号公報
【発明の概要】
【発明が解決しようとする課題】
【００１１】
波形測定器３００は、測定と並行して補助記憶装置３２０の測定データファイル３３０に測定データを保存するが、測定データの記録中は、波形測定器３００内のバスやＣＰＵへの負荷が高く、複雑な解析処理を行なうことは困難である。このため、波形測定器３００では、測定データ記録中はメニュー操作を制限したり、測定波形の拡大縮小表示における倍率を限定する等により処理負荷を高めない工夫が行なわれている。
【００１２】
そこで、測定データ記録中にＰＣ４００、すなわち波形解析装置側で測定データの解析を行なうことが考えられる。しかしながら、従来は、測定が完了するまで波形解析装置で測定データの解析を行なうことはできなかった。
【００１３】
これは、以下の理由による。すなわち、測定データファイル３３０は、測定生データに加え、付随情報を記録するヘッダ部、フッタ部を備えて構成されている。ヘッダ部、フッタ部に記録される付随情報には、測定波形の概形を示すためのデータや、測定生データに高速にアクセスするためのインデックス情報や、サンプルレート・測定点数・測定開始時刻・測定終了時刻などの測定条件情報等が含まれており、これらの情報は測定データの解析に必要な情報である。
【００１４】
付随情報は、測定が完了しないと値が定まらない情報を含んでいるため、測定が完了して測定データが揃った段階で最終的に作成される。したがって、測定途中で測定データの解析を行なおうとしても、付随情報が確定しておらず、測定データの波形を表示させたり、目的とする波形生データにアクセスすることができない。このため、従来は、測定が完了するまで波形解析装置で測定データの解析を行なうことはできなかった。
【００１５】
そこで、本発明は、波形測定器から測定データを取得し、解析を行なう波形解析装置において、測定完了前に測定データの解析を行なうことができるようにすることを目的とする。
【課題を解決するための手段】
【００１６】
上記課題を解決するため、本発明の第１の態様である波形解析システムは、波形測定器と波形解析装置とを備えた波形解析システムであって、前記波形測定器は、測定中に連続的に得られる測定データを所定の単位で記録した分割測定データファイル作成して第１補助記憶装置に保存する記録制御部と、前記分割測定データファイルが作成されると前記波形解析装置に通知する通信制御部とを備え、前記波形解析装置は、前記通知を受信すると、作成された分割測定データファイルを取得して第２補助記憶装置に保存する通信制御部と、前記第２補助記憶装置に保存されている分割測定データファイルに基づいて、波形解析に用いる付随情報を作成して前記分割測定データファイルに関連付ける測定データ再構成部と、前記付随情報を用いて前記分割測定データファイルに含まれる測定データの解析を行なう測定データ解析部とを備えたことを特徴とする。
上記課題を解決するため、本発明の第２の態様である波形解析装置は、接続された波形測定器から測定中に連続的に得られる測定データを所定の単位で記録した分割測定データファイルを順次取得して第２補助記憶装置に保存する通信制御部と、前記第２補助記憶装置に保存されている分割測定データファイルに基づいて、波形解析に用いる付随情報を作成して前記分割測定データファイルに関連付ける測定データ再構成部と、前記付随情報を用いて前記分割測定データファイルに含まれる測定データの解析を行なう測定データ解析部と、を備えたことを特徴とする。
ここで、前記付随情報は、保存されている分割測定データファイルに含まれる測定データへのアクセス情報、前記測定の測定条件に関する情報を含むことができる。
また、前記測定データ再構成部は、ユーザから測定データの解析指示を受け付けると、前記付随情報を作成することができる。また、前記通信制御部は、前記波形測定器から分割測定データファイルを生成した旨の通知を受信すると、通知に係る分割測定データファイルを取得することができる。また、前記通信制御部は、前記波形測定器から測定が完了した旨の通知を受信すると、前記波形測定器から付随情報を取得して、前記分割測定データファイルに関連付けることができる。
上記課題を解決するため、本発明の第３の態様であるコンピュータプログラムは、接続された波形測定器から測定中に連続的に得られる測定データを所定の単位で記録した分割測定データファイルを順次取得して第２補助記憶装置に保存する通信制御部と、前記第２補助記憶装置に保存されている分割測定データファイルに基づいて、波形解析に用いる付随情報を作成して前記分割測定データファイルに関連付ける測定データ再構成部と、前記付随情報を用いて前記分割測定データファイルに含まれる測定データの解析を行なう測定データ解析部とを備えた波形解析装置としてコンピュータを機能させる。
【発明の効果】
【００１７】
本発明によれば、波形測定器から測定データを取得し、解析を行なう波形解析装置において、測定完了前に測定データの解析を行なうことができるようになる。
【図面の簡単な説明】
【００１８】
【図１】本実施形態に係る波形解析システムの構成を示すブロック図である。
【図２】補助記憶装置に保存される測定データファイル１３０の構造について説明する図である。
【図３】暫定ヘッダ部と暫定フッタ部が付加された測定データ暫定ファイルの構成を示す図である。
【図４】本実施形態の波形解析システムの測定中の動作について説明するフローチャートである。
【図５】ＰＣの、測定記録途中の測定データの取得と解析の状態遷移を示す図である。
【図６】測定データファイルの実装上の具体的な構成例について説明する図である。
【図７】分割測定データファイルとブロックとの関係を説明する図である。
【図８】波形測定器とＰＣとを接続した従来の波形解析システムの構成例を示すブロック図である。
【発明を実施するための形態】
【００１９】
本発明の実施の形態について図面を参照して説明する。図１は、本実施形態に係る波形解析システムの構成を示すブロック図である。本図に示すように本実施形態に係る波形解析システムは、波形測定器１０と、波形解析装置として機能するＰＣ２０とを備えており、波形測定器１０とＰＣ２０とは、汎用バス３０を介して接続されている。汎用バス３０は、ＵＳＢ、Ｅｔｈｅｒｎｅｔ（登録商標）、ＧＰ−ＩＢ等を用いることができる。
【００２０】
波形測定器１０は、記録制御部１１０、補助記憶装置１２０、通信制御部１４０を備えている。なお、波形測定器１０単体でも波形表示等を行なえるように、従来と同様に波形表示制御部を備えるようにしてもよい。
【００２１】
記録制御部１１０は、被測定信号を入力し、測定条件にしたがった測定を行なって、デジタル値の測定データに変換する測定部１１１と、測定部１１１が生成した測定データを一時的に格納する波形測定用メモリ１１２とを備えている。
【００２２】
補助記憶装置１２０は、ハードディスク等の大容量記憶装置であり、波形測定用メモリ１１２に格納された測定データを測定データファイル１３０として保存する。通信制御部１４０は、汎用バス３０を介したＰＣ２０との通信を制御する。補助記憶装置１２０は、第１補助記憶装置として機能する。
【００２３】
図２は、補助記憶装置１２０に保存される測定データファイル１３０の構造について説明する図である。測定データの測定ポイント数が多くなると、測定データファイル１３０のファイル容量も大きくなり、ファイルシステムによる制限を超えてしまうおそれがあり、また、ファイルアクセスも複雑になっていく。
【００２４】
そこで、波形測定器１０の記録制御部１１０は、図２（ａ）に示すようなヘッダ部と測定生データとフッタ部から構成される論理測定データファイル１３０を、図２（ｂ）に示すような複数のファイルに分割して補助記憶装置１２０に保存するようにしている。すなわち、記録制御部１１０は、波形測定用メモリ３１２に、所定時間分、所定個数分等の測定生データが格納される毎に分割測定データファイルを作成して、補助記憶装置１２０に保存していく。
【００２５】
本図の例では、論理測定データファイル１３０は、Ｎ個のファイルに分割され、分割測定データファイル＃１、分割測定データファイル＃２…分割測定データファイル＃Ｎとして補助記憶装置１２０に保存されている。
【００２６】
各分割測定データファイルには、分割された波形生データが記録され、最初の分割測定データファイル＃１の先頭にヘッダ部が付加され、最後の分割測定データファイル＃Ｎの末尾にフッタ部が付加される。
【００２７】
ヘッダ部、フッタ部には、測定生データに関する付随情報が記録される。付随情報には、測定波形の概形を示すためのデータ、波形概要の画像データ、測定生データに高速にアクセスするためのインデックス情報、サンプルレート・測定点数・測定開始時刻・測定終了時刻などの測定条件情報等が含まれ、どの情報をヘッダ部、フッタ部に記録するかは設計に委ねられる。また、ヘッダ部、フッタ部のいずれか一方のみに付随情報を記録するようにしてもよいし、ヘッダ部、フッタ部を独立した１ファイルとして記録するようにしてもよい。
【００２８】
図１の説明に戻って、所定のコンピュータプログラムを実行することにより波形解析装置として機能するＰＣ２０は、通信制御部２１０、補助記憶装置２２０、測定データ再構成部２３０、測定データ解析部２４０、表示制御部２５０を備えている。なお、波形解析装置は、ＰＣのみならず、専用装置や組込み装置等によって構成してもよい。
【００２９】
通信制御部２１０は、汎用バス３０を介した波形測定器１０との通信を制御する。通信制御部２１０は、波形測定器１０における測定完了前に波形測定器１０から分割測定データファイルを生成した旨の通知を受信すると、波形測定器１０の補助記憶装置１２０から分割測定データファイルを取得する。
【００３０】
補助記憶装置２２０は、ハードディスク等の大容量記憶装置であり、通信制御部２１０が取得した測定完了前の分割測定データファイルを、測定データ暫定ファイル２６０として保存する。補助記憶装置２２０は、第２補助記憶装置として機能する。
【００３１】
測定データ再構成部２３０は、測定完了前に、ユーザから測定データの解析指示を受け付けると、補助記憶装置２２０に保存されている測定データ暫定ファイル２６０に基づいて、暫定的なヘッダ部とフッタ部である暫定ヘッダ部と暫定フッタ部を作成し、測定データ暫定ファイル２６０に付加する。
【００３２】
図３は、暫定ヘッダ部と暫定フッタ部が付加された測定データ暫定ファイル２６０の構成を示す図である。本図の例では、分割波形データファイルとして＃１〜＃３まで取得した状態で、測定データの解析指示を受け付けたものとする。
【００３３】
測定データ再構成部２３０は、分割波形データファイル＃１〜＃３に記録されている測定生データと、分割波形データファイル＃１に記録されているヘッダ部を基に、暫定ヘッダ部と暫定フッタ部を作成する。そして、分割波形データファイル＃１に付加されていたヘッダ部を作成した暫定ヘッダ部で更新し、分割波形データファイル＃３に作成した暫定フッタ部を追記する。
【００３４】
すなわち、測定が完了するまで決定できなかった測定波形の概形を示すためのデータや、測定生データに高速にアクセスするためのインデックス情報や、測定点数・測定終了時刻などの測定条件情報を、分割波形データファイル＃３を取得した時点の測定データを用いて暫定的に作成し、暫定ヘッダ部と暫定フッタ部とするものである。このため、暫定ヘッダ部と暫定フッタ部は、測定途中に測定データの解析を行なう度に更新される。
【００３５】
なお、測定開始時刻・サンプルレート等の測定開始時に決定している情報については、そのまま暫定ヘッダ部、暫定フッタ部に使用することができる。また、暫定ヘッダ部、暫定フッタ部の格納フォーマットは、従来のヘッダ部、フッタ部と同様にする。これにより、測定データ暫定ファイル２６０を用いて、従来と同様の手順で測定データの解析を行なうことができるようになる。
【００３６】
図１の説明に戻って、測定データ解析部２４０は、測定完了前に、ユーザから測定データの解析指示を受け付けると、補助記憶装置２２０に記録されている暫定ヘッダ部と暫定フッタ部が付加された測定データ暫定ファイル２６０を用いて、測定データの詳細な解析を行なう。なお、測定終了後に、ユーザから測定データの解析指示を受け付けた場合は、従来と同様の測定データ解析を行なう。
【００３７】
表示制御部２５０は、測定データ解析部２４０の解析結果を図示しない表示装置に表示するための処理を行なう。
【００３８】
次に、本実施形態の波形解析システムの測定中の動作について図４のフローチャートを参照して説明する。波形測定器１０では、測定実行に先立ち、ヘッダ部の記録を行なう（Ｓ１０１）。ヘッダ部には、例えば、測定開始時刻、測定終了時刻、サンプルレート等を記録するものとする。現時点で決定しない項目については暫定値あるいは空欄とすることができる。
【００３９】
そして、ヘッダ部に引き続いて測定生データを波形測定用メモリ１１２に、順次格納していく（Ｓ１０２）。なお、複数チャンネルの測定データを並行して記録することもできるが、この場合の記録形式については後述する。
【００４０】
測定データの記録中に、所定の分割タイミングになると（Ｓ１０３：Ｙｅｓ）、記録制御部１１０は、波形測定用メモリ１１２から測定データを読み出して分割測定データファイル１３０を作成し、補助記憶装置１２０に記録する（Ｓ１０４）。所定の分割タイミングは、例えば、所定数の測定データの記録毎、所定時間毎等とすることができる。
【００４１】
分割測定データファイル１３０を生成すると、波形測定器１０の通信制御部１４０は、汎用バス３０を介して、ＰＣ２０に分割測定データファイル１３０を生成した旨を通知する（Ｓ１０５）。この際に、何番目の分割測定データファイル１３０を生成したかの情報や格納アドレス情報等を含めるようにしてもよい。
【００４２】
波形測定器１０から、分割測定データファイル１３０を生成した旨を通知されたＰＣ２０の通信制御部２１０は、汎用バス３０を介して波形測定器１０の補助記憶装置１２０から、生成された分割測定データファイル１３０を取得して補助記憶装置２２０に測定データ暫定ファイル２６０として記録する（Ｓ２０１）。
【００４３】
以上の処理を測定が完了するまで繰り返す（Ｓ１０６：Ｙｅｓ）。したがって、ＰＣ２０は、波形測定器１０で分割測定データファイル１３０が生成される度に、生成された分割測定データファイル１３０を取得して測定データ暫定ファイル２６０として記録する。
【００４４】
測定途中において、ＰＣ２０がユーザから測定データの解析指示を受け付けた場合（Ｓ２０２：Ｙｅｓ）、測定データ再構成部２３０は、その時点で補助記憶装置２２０に記録されている測定データ暫定ファイル２６０を参照して、暫定ヘッダ部を作成し、測定データ暫定ファイル２６０の暫定ヘッダ部を更新する（Ｓ２０３）。また、その時点で補助記憶装置２２０に記録されている測定データ暫定ファイル２６０を参照して、暫定フッタ部を作成し、測定データ暫定ファイル２６０に暫定フッタ部を付加する（Ｓ２０４）。
【００４５】
そして、更新された暫定ヘッダ部と付加された暫定フッタ部を含んだ測定データ暫定ファイル２６０を用いて測定データの解析を行なう。これにより、波形解析装置として機能するＰＣ２０は、測定完了前に測定データの解析を行なうことができるようになる。
【００４６】
波形測定器１０での測定が完了すると（Ｓ１０６：Ｙｅｓ）、記録制御部１１０は、最終的な測定結果にしたがって、ヘッダ部を更新し（Ｓ１０７）、フッタ部を記録する（Ｓ１０８）。そして、波形測定器１０の通信制御部１４０は、汎用バス３０を介して、ＰＣ２０に測定が完了した旨を通知する（Ｓ１０９）。
【００４７】
波形測定器１０から、測定が完了した旨を通知されたＰＣ２０は、補助記憶装置２２０に記録している測定データ暫定ファイル２６０と、波形測定器１０の補助記憶装置１２０に保存されている測定データファイル１３０との同期処理を行なう（Ｓ２０５）。ただし、ＰＣ２０において測定データの解析中であれば、解析対象のデータの整合性を保つために、解析が終了するのを待って同期処理を行なうようにする。
【００４８】
同期処理は、例えば、測定データ暫定ファイル２６０の暫定ヘッダ部、暫定フッタ部を測定データ暫定ファイル２６０のヘッダ部、フッタ部で書き換えることにより行なうことができる。このとき、ヘッダ部を含む１番目の分割測定データファイルとフッタ部を含む最後の分割測定データごと置き換えるようにしてもよい。同期処理により、波形測定器１０に保存されている測定データファイル１３０と、ＰＣ２０に保存されている測定データ暫定ファイル２６０とは同一となる。このため、従来と同様のデータ解析を行なうことができる。
【００４９】
図５は、ＰＣ２０の、測定記録途中の状態遷移を示す図である。本図は、ＵＭＬ（Unified Modeling Language）に準じて表記したものである。波形測定器１０で測定、記録を開始すると、ＰＣ２０は、分割測定データファイル生成通知待ちの状態（Ｓ３０３）に遷移する。その後、波形測定器１０から分割測定データファイル生成通知を受け取ると、分割測定データファイルの受信を開始し、分割測定データファイル受信中の状態（Ｓ３０４）に遷移する（Ｓ３１１）。そして、分割測定データファイル受信完了後に、分割測定データファイル生成通知待ちの状態（Ｓ３０３）に戻る（Ｓ３１２）。
【００５０】
１以上の分割測定データファイルを受信すると、解析開始指示（Ｓ３１３）に対する処理が可能となる。すなわち、受信した分割測定データファイルを再構成して、暫定ヘッダと暫定フッタを生成することで解析処理を行なう。測定完了通知を受け取ると、同期化処理を行ない、その後、転送完了状態（Ｓ３０２）に遷移する（Ｓ３１４）。
【００５１】
次に、測定データファイル１３０の実装上の具体的な構成例について説明する。本例では、１つの測定データファイル１３０に複数チャンネルの測定生データを記録する場合を例に説明する。この場合、測定データファイル１３０は、図６（ａ）に示すように、ヘッダ部と測定データ部とフッタ部とから構成し、測定データ部を複数のブロックに分割する。各ブロックは、ブロックヘッダと測定生データとを含んでいる。なお、ブロックは、データ記録の単位であり、保存単位の分割測定データファイルとは異なる概念である。もちろん、分割測定データファイルとブロックとを対応させるようにしてもよい。
【００５２】
図６（ｂ）は記録するチャンネル数をＣＨ１、ＣＨ２、ＣＨ３の３つとした場合のブロックヘッダと測定生データの構成例を示している。本図に示すように、ブロックヘッダには、各チャンネルのブロック内の記録点数が記録され、測定生データには、測定データがチャンネル毎に時系列で記録される。
【００５３】
また、測定データファイル１３０のヘッダ部には、各チャンネルの測定データ１個あたりデータサイズを測定データサイズテーブルとして記録しておくようにする。
【００５４】
測定データファイル１３０をこのように構成することで、分割測定データファイルを取得したＰＣ２０は、完全に参照できるブロックヘッダから測定データサイズテーブルを更新することで、目的とする測定生データの総数が判明し、測定生データにアクセスすることができるようになる。
【００５５】
図７は、分割測定データファイルを、ブロックとは無関係に設定した場合の様子を示している。この場合、測定データの解析は、完全に参照できるブロックを対象に行なうものとする。例えば、分割測定データファイル＃１を生成した時点では、ブロック＃１が完全に参照できるため、ブロック＃１の測定データが解析可能となる。また、分割測定データファイル＃２を生成した時点では、ブロック＃３まで完全に参照できるため、ブロック＃３までの測定データが解析可能となる。
【００５６】
分割測定データファイルの分割数が少ないと、測定途中において分割測定データファイルの取得回数が減るため解析可能なブロック数が少なくなる。このため、分割測定データファイルのデータサイズを小さくして分割数を増やすとともにブロックサイズを小さくすることで、頻繁に分割測定データファイルの取得を行ない、解析可能なブロック数を増やすことができる。この場合、波形測定器１０の処理負荷が高くなるため、例えば、測定予定時間と分割予定数とから、１つの分割測定データファイルに費やす予測時間を算出し、その値が所定の基準値よりも短い場合には、ＰＣ２０が、分割測定データファイルの取得を間欠的、例えば、分割測定データファイルの生成通知に対して１回おきに分割測定データファイルの取得を行なうようにすることで、波形測定器１０の処理負荷増大を防ぐことができる。
【００５７】
また、本実施形態の波形解析システムは、測定途中で電源遮断等が生じて測定データの保存が完了しなかった場合であっても、途中までの測定データへのアクセスや解析が行なえるようなる。すなわち、従来は、測定途中の電源遮断等によって測定が完了しなかった場合、付随情報が作成されないため、解析を行なうことができなかったが、本実施形態のＰＣ２０では、測定途中において分割測定データファイルを取得して暫定ヘッダ部と暫定フッタ部とを付加するようにしているため、それらの付随情報を用いて、測定が完了しなかった測定データの解析を行なうことができる。
【符号の説明】
【００５８】
１０…波形測定器、２０…ＰＣ（波形解析装置）、３０…汎用バス、１１０…記録制御部、１１１…測定部、１１２…波形測定用メモリ、１２０…補助記憶装置、１３０…測定データファイル、１４０…通信制御部、２１０…通信制御部、２２０…補助記憶装置、２３０…測定データ再構成部、２４０…測定データ解析部、２５０…表示制御部、２６０…測定データ暫定ファイル、３００…波形測定器、３１０…記録制御部、３１１…測定部、３１２…波形測定用メモリ、３２０…補助記憶装置、３３０…測定データファイル、３４０…波形表示制御部、３５０…通信制御部、４００…ＰＣ（波形解析装置）、４１０…通信制御部、４２０…測定データ解析部、４３０…表示制御部、５００…汎用バス
【図１】
0005632793.tif 000002
【図２】
0005632793.tif 000003
【図３】
0005632793.tif 000004
【図４】
0005632793.tif 000005
【図５】
0005632793.tif 000006
【図６】
0005632793.tif 000007
【図７】
0005632793.tif 000008
【図８】
0005632793.tif 000009